(57)【要約】  室外機は、トップパネルと、底面パネルと、底面パネルに設けられ、トップパネルを支持している複数の外郭パネルと、トップパネルと底面パネルと複数の外郭パネルとで形成される筐体の背面側に配置されている熱交換器と、熱交換器に外気を供給するファンと備えている。トップパネルは、筐体の左右方向に延びる第１縁部から、第１縁部と対向し、筐体の左右方向に延びる第２縁部に向けて、底面パネルの側へ傾斜している。第２縁部は、平面視において、複数の外郭パネルのうち第２縁部が位置する側の外郭パネルよりも、筐体の外方に位置している。
2020084681.tif 000002
【特許請求の範囲】
【請求項１】
トップパネルと、
底面パネルと、
前記底面パネルに設けられ、前記トップパネルを支持している複数の外郭パネルと、
前記トップパネルと前記底面パネルと前記複数の外郭パネルとで形成される筐体の背面側に配置されている熱交換器と、
前記熱交換器に外気を供給するファンと備え、
前記トップパネルは、前記筐体の左右方向に延びる第１縁部から、前記第１縁部と対向し、前記筐体の左右方向に延びる第２縁部に向けて、前記底面パネルの側へ傾斜しており、
前記第２縁部は、平面視において、前記複数の外郭パネルのうち前記第２縁部が位置する側の外郭パネルよりも、前記筐体の外方に位置している空気調和機の室外機。
【請求項２】
前記第２縁部において、下方向に延びる壁部が形成されている請求項１に記載の空気調和機の室外機。
【請求項３】
前記筐体の内部は、左右方向において、前記ファンが設けられている送風機室と圧縮機が設けられている機械室に区分けされており、前記壁部の下端部は、前記送風機室から前記機械室へ向かって下方向へ傾斜している請求項２に記載の空気調和機の室外機。
【請求項４】
前記第１縁部は前記筐体の前面側に位置し、前記第２縁部は前記筐体の背面側に位置している請求項１〜３のいずれか一項に記載の空気調和機の室外機。
【請求項５】
前記第１縁部は前記筐体の背面側に位置し、前記第２縁部は前記筐体の前面側に位置している請求項１〜３のいずれか一項に記載の空気調和機の室外機。
【請求項６】
前記第２縁部は、前記筐体の左側面から右側面に亘っている請求項１〜５のいずれか一項に記載の空気調和機の室外機。
【請求項７】
前記第２縁部は、前記筐体の左右方向において、前記熱交換器に対応する部分においてのみ、前記第２縁部が位置する側の外郭パネルよりも、前記筐体の外方に位置している請求項１〜５のいずれか一項に記載の空気調和機の室外機。
【請求項８】
前記第２縁部は、前記筐体の左右方向において、前記ファンの前面側に配置されているベルマウスに対応する部分においてのみ、前記第２縁部が位置する側の外郭パネルよりも、前記筐体の外方に位置している請求項１〜５のいずれか一項に記載の空気調和機の室外機。
【請求項９】
前記トップパネルにおいて、前記第１縁部の上下方向の長さは、前記第２縁部の上下方向の長さよりも長い請求項１〜８のいずれか一項に記載の空気調和機の室外機。
【請求項１０】
前記トップパネルは板状の部材であり、
前記複数の外郭パネルのうち、前記筐体の左側面に位置する外郭パネルの上端部及び前記筐体の右側面に位置する外郭パネルの上端部が、前記第１縁部から前記第２縁部に向けて前記底面パネルの側へ傾斜している請求項１〜８のいずれか一項に記載の空気調和機の室外機。
【請求項１１】
前記トップパネルは板状の部材であり、
前記トップパネルと前記複数の外郭パネルとの間に設けられている傾斜部材をさらに備え、
前記傾斜部材において、前記第１縁部の側に位置する縁部の上下方向の長さが前記第２縁部に位置する縁部の上下方向の長さより長い請求項１〜８のいずれか一項に記載の空気調和機の室外機。
【発明の詳細な説明】
【技術分野】
【０００１】
本発明は、空気調和機の室外機のトップパネルの構成に関するものである。
【背景技術】
【０００２】
従来、空気調和機の室外機は、熱交換器において冷媒と外気との間で熱交換を行うよう構成されている。室外機の内部には、外気を熱交換器に供給するファンが設けられており、ファンの前面側にはベルマウスが設けられている。熱交換器で冷媒と熱交換した外気は、ベルマウスを介して室外機の外方に排気される。このような室外機の筐体は、例えば、底面パネルと、前面パネルと、背面パネルと、サイドパネルと、トップパネルとを有している。【０００３】
戸外に設置される室外機のトップパネルには降雪時に雪が積もることがあり、気温の上昇と共にトップパネルに積もった雪が融け、その雪融け水が室外機の上部から前面パネルに流れてくる場合がある。また、降雨時にトップパネルに当たった雨水が室外機の上部から前面パネルに流れてくる場合がある。前面パネルに流れてくる雪融け水若しくは雨水の水分は、ワイヤーグリルと前面パネルの隙間からベルマウスへ浸入する。寒冷地においては、ベルマウスへ浸入した水分が外気温の低下に伴いベルマウスの上部で氷柱となる場合がある。その結果、氷柱がファンと干渉し異音を発生するという不具合が生じる。特許文献１に記載の室外機は、このような異音の発生を抑制するために、トップパネルが前方から後方へ傾斜している構成を有している。
【先行技術文献】
【特許文献】
【０００４】
【特許文献１】特開２００１−１６５４７３号公報
【発明の概要】
【発明が解決しようとする課題】
【０００５】
特許文献１に記載の室外機の構成によれば、上述の雪融け水若しくは雨水の水分は、トップパネルの前方から後方への傾斜により前面パネルには流れず、室外機の背面側に導かれる。そのため、ベルマウスの上部に氷柱が形成されることはなく、上述の異音が発生することはない。しかしながら、水分が室外機の背面側に導かれることにより、背面側に配置されている熱交換器に水分が付着してしまう。寒冷地においては、熱交換器に付着した水分が凍結することがあり、その結果、熱交換器への外気の供給が妨げられ、熱交換器の熱交換効率が低下するという課題がある。【０００６】
本発明は、上記のような課題を解決するためになされたものであり、熱交換効率の低下を抑制すると共に、異音の発生を抑制することができる空気調和機の室外機を提供することを目的とする。
【課題を解決するための手段】
【０００７】
本発明に係る空気調和機の室外機は、トップパネルと、底面パネルと、前記底面パネルに設けられ、前記トップパネルを支持している複数の外郭パネルと、前記トップパネルと前記底面パネルと前記複数の外郭パネルとで形成される筐体の背面側に配置されている熱交換器と、前記熱交換器に外気を供給するファンと備え、前記トップパネルは、前記筐体の左右方向に延びる第１縁部から、前記第１縁部と対向し、前記筐体の左右方向に延びる第２縁部に向けて、前記底面パネルの側へ傾斜しており、前記第２縁部は、平面視において、前記複数の外郭パネルのうち前記第２縁部が位置する側の外郭パネルよりも、前記筐体の外方に位置している。
【発明の効果】
【０００８】
本発明に係る空気調和機の室外機によると、トップパネルが底面パネルの側へ傾斜しており、底面パネル側に傾斜している第２縁部は外郭パネルよりも筐体の外方へ延びているため、水分がトップパネルに付着しても、熱交換器及びファンに導かれることはない。従って、水分が熱交換器及びファンに氷結することはなく、熱交換器の熱交換効率の低下を抑制すると共に、異音の発生を抑制することができる。
【図面の簡単な説明】
【０００９】
【図１】本発明の実施の形態１に係る空気調和機の室外機の斜視図である。
【図２】本発明の実施の形態１に係る空気調和機の室外機を一部の部材を取り外して示す斜視図である。
【図３】本発明の実施の形態１に係る空気調和機の室外機を側面から概念的に示す図である。
【図４】本発明の実施の形態１の第１変形例の空気調和機の室外機の斜視図である。
【図５】本発明の実施の形態１の第２変形例の空気調和機の室外機の斜視図である。
【図６】本発明の実施の形態１の第３変形例の空気調和機の室外機を側面から概念的に示す図である。
【図７】本発明の実施の形態１の第４変形例の空気調和機の室外機を側面から概念的に示す図である。
【図８】本発明の実施の形態２に係る空気調和機の室外機を側面から概念的に示す図である。
【図９】本発明の実施の形態３に係る空気調和機の室外機を背面から概念的に示す図である。
【図１０】本発明の実施の形態４に係る空気調和機の室外機の斜視図である。
【図１１】本発明の実施の形態４に係る空気調和機の室外機を側面から概念的に示す図である。
【図１２】本発明の実施の形態４の第１変形例の空気調和機の室外機の斜視図である。
【発明を実施するための形態】
【００１０】
以下に、本発明における空気調和機の室外機の実施の形態を図面に基づいて詳細に説明する。尚、以下に説明する実施の形態によって本発明が限定されるものではない。また、以下の図面においては各構成部材の大きさ及び形状は実際の装置とは異なる場合がある。
【００１１】
実施の形態１．
図１は、本発明の実施の形態１に係る空気調和機の室外機の斜視図である。図２は、本発明の実施の形態１に係る空気調和機の室外機を一部の部材を取り外して示す斜視図である。室外機１の筐体１０は、トップパネル２０と、底面パネル３０と、機械室正面パネル４０と、送風機室パネル５０と、背面パネル６０とを有している。トップパネル２０は、室外機１の上側に配置されている。底面パネル３０は、室外機１の底面側に配置されている。トップパネル２０は、底面パネル３０に設けられた複数の外郭パネルにより支持されている。本実施の形態１において、複数の外郭パネルは、機械室正面パネル４０、送風機室パネル５０、及び背面パネル６０を含んでいる。図２は、筐体１０から、トップパネル２０、機械室正面パネル４０、及び背面パネル６０を取り外した状態を示している。
【００１２】
トップパネル２０の第１縁部２１は筐体１０の前面側において、筐体１０の左右方向に延びている。トップパネル２０の第２縁部２２は筐体１０の背面側において、筐体１０の左右方向に延びている。
【００１３】
図２に示すように、筐体１０の内部は、セパレータ１１により送風機室１０Ａと機械室１０Ｂに区分けされている。送風機室１０Ａは、筐体１０の左側に位置し、機械室１０Ｂは筐体１０の右側に位置している。
【００１４】
機械室正面パネル４０は、機械室１０Ｂの前面に位置するよう配置されている。機械室正面パネル４０は、機械室１０Ｂの上側に位置する上側パネル４１と機械室１０Ｂの下側に位置する下側パネル４２とを有している。
【００１５】
送風機室パネル５０は、前面部５１と側面部５２とを有している。前面部５１が送風機室１０Ａの前面側に位置し、側面部５２が送風機室１０Ａの側面側、すなわち筐体１０の左側面側に位置するよう、送風機室パネル５０は配置されている。
【００１６】
背面パネル６０は、背面部６１と側面部６２（図３参照）とを有している。複数の通風口が形成された背面部６１が送風機室１０Ａの背面及び機械室１０Ｂの背面、すなわち筐体１０の背面側に位置し、側面部６２が機械室１０Ｂの側面、すなわち筐体１０の右側面側に位置するよう、背面パネル６０は配置されている。
【００１７】
筐体１０の前面は、機械室正面パネル４０と送風機室パネル５０の前面部５１とで構成されている。筐体１０の左側面は、送風機室パネル５０の側面部５２で構成され、筐体１０の右側面は、背面パネル６０の側面部６２で構成されている。筐体１０の背面は、背面パネル６０の背面部６１で構成されている。
【００１８】
熱交換器１００は平面視でＬ字形状を有しており、図１に示す背面パネル６０の背面部６１と送風機室パネル５０の側面部５２に沿って配置されている。
【００１９】
送風機室パネル５０には上下方向に並ぶ２つの開口部が形成されており、上側の開口部には第１ベルマウス９１が設けられ、下側の開口部には第２ベルマウス９２が設けられている。
【００２０】
図１に示すように、送風機室パネル５０には第１ワイヤーグリル９３と第２ワイヤーグリル９４が設けられている。第１ワイヤーグリル９３は第１ベルマウス９１を覆うように取り付けられ、第２ワイヤーグリル９４は第２ベルマウス９２を覆うように取り付けられている。
【００２１】
図２に示すように、送風機室１０Ａには第１ファン１０１と第２ファン１０２が配置されている。第１ファン１０１及び第２ファン１０２は、熱交換器１００に外気を供給するためのものである。第１ファン１０１は送風機室１０Ａの上側において、第１ベルマウス９１の開口位置に設けられている。第２ファン１０２は送風機室１０Ａの底面側において、第２ベルマウス９２の開口位置に設けられている。第１ファン１０１の回転軸１０１Ａ及び第２ファン１０２の回転軸１０２Ａは、ファンモータ固定部１０３に取り付けられている。ファンモータ固定部１０３は、底面パネル３０に固定されている。
【００２２】
機械室１０Ｂには圧縮機１１０と電気品箱１１１が配置されている。圧縮機１１０は底面パネル３０に固定されている。圧縮機１１０の周囲には、圧縮機１１０に接続される冷媒配管（図示せず）が配置されている。電気品箱１１１には、機械室１０Ｂの上側に配置されており、圧縮機１１０、第１ファン１０１、及び第２ファン１０２等の運転を制御する電気部品が収納されている。
【００２３】
図３は、本発明の実施の形態１に係る空気調和機の室外機を側面から概念的に示す図である。図３は、室外機１を右側面から示している。図３中、左側が室外機１の筐体１０の前面側であり、右側が室外機１の筐体１０の背面側である。トップパネル２０は、一対の底面２３が略直角三角形の形状を有する三角柱状の部材である。換言すると、トップパネル２０の第１縁部２１の上下方向の長さは、第２縁部２２の上下方向の長さよりも長くなっている。
【００２４】
トップパネル２０は、一対の底面２３が筐体１０の側面に位置するよう配置されている。一方の底面２３の斜辺である第１辺２３Ａは上側を向き、直角を挟む第２辺２３Ｂと第３辺２３Ｃのうち、短い方の第２辺２３Ｂは筐体１０の前面側を向き、長い方の第３辺２３Ｃは背面パネル６０の側面部６２の上端部と対向している。尚、他方の底面２３の第３辺２３Ｃは、送風機室パネル５０の側面部５２の上端部と対向している。一対の底面２３の第２辺２３Ｂは、筐体１０の前後方向において、筐体１０の前面、すなわち機械室正面パネル４０及び送風機室パネル５０の前面部５１と略同一の位置に位置している。一対の底面２３の第１辺２３Ａと第３辺２３Ｃが交差する頂点Ｐ１は、筐体１０の背面より外方に位置している。また、第２縁部２２は、図１に示すように、筐体１０の背面側の全領域に亘って、すなわち、送風機室１０Ａ側の左側面から機械室１０Ｂ側の右側面まで延びている。
【００２５】
このようにトップパネル２０を配置することにより、トップパネル２０の上面２０Ａは、第１縁部２１から第２縁部２２に向けて、すなわち、筐体１０の前面側から背面側へ向けて、底面パネル３０の側へ傾斜している。さらに、第２縁部２２は、筐体１０の前後方向において筐体１０の背面側の背面パネル６０の背面部６１よりも外方に位置している。
【００２６】
トップパネルに付着した水分が筐体の前面側に流れると、水分は送風機室パネルの前面側へ伝わる。そして、前面側へ伝わった水分は、前面側のパネルとワイヤーグリルとの隙間からベルマウス浸入する場合がある。寒冷地において外気の温度が下がると、ベルマウスへ浸入した水分は氷柱となり、ファンと干渉し、異音が発生する。しかしながら、本実施の形態１によれば、トップパネル２０の上面２０Ａは筐体１０の前面側から背面側へ向けて底面パネル３０の側へ傾斜しているため、トップパネル２０に付着した水分は、筐体１０の前面側には流れず、背面側に流れる。従って、このような異音の発生を抑制することができる。
【００２７】
また、背面側に流れる水分は、第２縁部２２から下方へ落下するが、本実施の形態１によれば、トップパネル２０の第２縁部２２は、筐体１０の背面側において、背面パネル６０の背面部６１よりも外方に位置している。従って、第２縁部２２から落下した水分が熱交換器１００に付着することが抑制される。その結果、熱交換器１００に付着した水分が凍結することにより起因する熱交換効率の低下を抑制することができる。
【００２８】
以上のように、本実施の形態１によれば、水分がトップパネル２０に付着しても、熱交換器１００の熱交換効率の低下を抑制すると共に、第１ファン１０１及び第２ファン１０２における異音の発生を抑制することができる。
【００２９】
図４は、本発明の実施の形態１の第１変形例の空気調和機の室外機の斜視図である。第１変形例において、トップパネル２０の第２縁部２２は、筐体１０の左右方向において、熱交換器１００が配置されている領域に対応する部分において、筐体１０の背面パネル６０の背面部６１（図３参照）よりも外方に位置している。換言すると、平面視で、背面部６１における熱交換器１００の左右方向の長さと第２縁部２２の左右方向の長さは略同一である。そして、第１縁部２１に対向し、第２縁部２２の右側において左右方向に延びる第３縁部２４は、平面視で、前後方向において背面パネル６０の背面部６１と略同一の位置に位置している。このように構成することにより、上述の効果が図られると共に、第２縁部２２の左右方向に延びる範囲をより小さくできるため、製造コストの上昇を抑えることができる。
【００３０】
図５は、本発明の実施の形態１の第２変形例の空気調和機の室外機の斜視図である。図６は、図３と同様、室外機１を右側面から示している。本実施の形態１において、トップパネル２０は三角柱の形状を有する単一の部材であるが、これに限るものではない。図５に示すように、トップパネル１２０を支持部１２１と延長部１２２とで構成してもよい。支持部１２１は、台形状の一対の底面を有する四角柱の部材であり、機械室正面パネル４０、送風機室パネル５０、及び背面パネル６０により支持されている。延長部１２２は、略直角三角形状の一対の底面を有する略三角柱の部材であり、筐体１０の背面側において、背面パネル６０の背面部６１よりも外方に位置している。延長部１２２は、例えば溶接により支持部１２１に固定されている。
【００３１】
図６は、本発明の実施の形態１の第３変形例の空気調和機の室外機を側面から概念的に示す図である。図６は、図３及び図５と同様、室外機１を右側面から示している。図６に示すように、第３変形例のトップパネル１３０は、薄板状の部材である。トップパネル１３０の前後方向の長さは、背面パネル６０の側面部６２の上端部、及び図１に示す送風機室パネル５０の側面部５２の上端部の、筐体１０の前後方向の長さよりも長い。
【００３２】
背面パネル６０の側面部６２の上端部は、筐体１０の前面から背面にかけて底面パネル３０の側へ傾斜している。同様に、送風機室パネル５０の側面部５２の上端部も、筐体１０の前面から背面にかけて底面パネル３０の側へ傾斜している。図１に示す送風機室パネル５０の前面部５１及び機械室正面パネル４０の上下方向の長さは、第３変形例においては、背面パネル６０の背面部６１の上下方向の長さより長くなっている。従って、送風機室パネル５０の前面部５１及び機械室正面パネル４０の上端部は、背面パネル６０の背面部６１の上端部よりも上方に位置している。
【００３３】
トップパネル１３０の筐体１０の前面側の第１縁部１３１は、筐体１０の前後方向において、機械室正面パネル４０及び送風機室パネル５０の前面部５１と略同一の位置に位置している。このように構成することにより、トップパネル１３０の第２縁部１３２は、筐体１０の背面側において、筐体１０の外方へ延びている。
【００３４】
図７は、本発明の実施の形態１の第４変形例の空気調和機の室外機を側面から概念的に示す図である。図７は、図３、及び図６と同様、室外機１を右側面から示している。第４変形例において、トップパネル１４０と機械室正面パネル４０、送風機室パネル５０、及び背面パネル６０との間には、傾斜部材１４１が設けられている。
【００３５】
傾斜部材１４１は、略直角三角形状の一対の底面を有する略三角柱の部材である。傾斜部材１４１において、トップパネル１４０の第１縁部１４３の側に位置する縁部の上下方向の長さは、トップパネル１４０の第２縁部１４４の側に位置する縁部の上下方向の長さより長い。トップパネル１４０の一方の底面１４２の斜辺である第１辺１４２Ａは上側を向いている。一方の底面１４２の直角を挟む第２辺１４２Ｂと第３辺１４２Ｃのうち、短い方の第２辺１４２Ｂは筐体１０の前面側を向き、長い方の第３辺１４２Ｃは背面パネル６０の側面部６２の上端部と対向している。他方の底面１４２の第３辺１４２Ｃは、送風機室パネル５０の側面部５２の上端部と対向している。一対の底面１４２の第２辺１４２Ｂは、筐体１０の前後方向において、筐体１０の前面、すなわち機械室正面パネル４０及び送風機室パネル５０の前面部５１と略同一の位置に位置している。また、第１辺１４２Ａと第２辺１４２Ｂが交差する頂点Ｐ２は、筐体１０の前後方向において、筐体１０の背面、すなわち背面パネル６０の背面部６１と略同一の位置に位置している。
【００３６】
トップパネル１４０の前後方向の長さは、傾斜部材１４１の上面の筐体１０の前後方向の長さより長い。トップパネル１４０の筐体１０の前面側の第１縁部１４３及び筐体１０の背面側の第２縁部１４４は、筐体１０の左右方向に延びている。第１縁部１４３及び第２縁部１４４は、上述の実施の形態１と同様、筐体１０の背面側の全領域に亘って、すなわち、図２に示す送風機室１０Ａ側の左側面から機械室１０Ｂ側の右側面まで延びている。第１縁部１４３は、筐体１０の前後方向において、傾斜部材１４１の底面の第２辺１４２Ｂと略同一の位置に位置している。このように構成することにより、トップパネル１４０の第２縁部１４４は、筐体１０の背面側において、背面パネル６０の背面部６１よりも外方に位置している。
【００３７】
実施の形態２．
図８は、本発明の実施の形態２に係る空気調和機の室外機を側面から概念的に示す図である。実施の形態１と同様の部材には、図１〜図７における符号と同一の符号が付されている。図８は、室外機２を右側面から示している。室外機２のトップパネル１５０は、実施の形態１と同様、全体として略三角柱の形状を有している。トップパネル１５０の筐体１０の前面側の第１縁部１５１及び筐体１０の背面側の第２縁部１５２は、筐体１０の左右方向に延びている。第１縁部１５１及び第２縁部１５２は、上述の実施の形態１と同様、筐体１０の背面側の全領域に亘って、すなわち、図２に示す送風機室１０Ａ側の左側面から機械室１０Ｂ側の右側面まで延びている。
【００３８】
第２縁部１５２には下方向へ垂直に延びる壁部１５３が設けられている。壁部１５３は、筐体１０の左右方向において、第２縁部１５２と同一の長さを有している。すなわち、壁部１５３は、筐体１０の背面側の全領域に亘って、図２に示す送風機室１０Ａ側の左側面から機械室１０Ｂ側の右側面まで延びている。その他の構成は、実施の形態１と同様である。
【００３９】
本実施の形態２によれば、トップパネル１５０の背面側に流れる水分は、壁部１５３に導かれて落下するため、水分の落下地位を確定することができる。従って、水分の落下方向が乱れて、熱交換器１００の近傍へ水分が回り込むことが抑制される。その結果、熱交換器１００に水分が付着し凍結することに起因する熱交換効率の低下を、より効果的に抑制することができる。また、室外機１の背面側から前面側に向かって風が吹いている場合、背面側に流れてきた水分がトップパネル１５０の第２縁部１５２の裏面を伝って、背面パネル６０の背面部６１へ到達してしまうことが抑制される。従って、室外機１の背面側から前面側に向かって風が吹いている場合であっても、熱交換器１００に水分が付着し凍結することに起因する熱交換効率の低下を抑制することができる。
【００４０】
尚、実施の形態１の第１変形例のトップパネル２０の第２縁部２２においても、壁部１５３と同様の壁部を設けてもよい。また、実施の形態１の第２変形例のトップパネル１２０の延長部１２２においても、壁部１５３と同様の壁部を設けてもよい。また、実施の形態１の第３変形例のトップパネル１３０の第２縁部１３２においても、壁部１５３と同様の壁部を設けてもよい。また、実施の形態１の第４変形例のトップパネル１４０の第２縁部１４４においても、壁部１５３と同様の壁部を設けてもよい。
【００４１】
実施の形態３．
図９は、本発明の実施の形態３に係る空気調和機の室外機を背面から概念的に示す図である。実施の形態１と同様の部材には、図１〜図７における符号と同一の符号が付されている。室外機３のトップパネル１６０は、実施の形態１のトップパネル２０及び実施の形態２のトップパネル１５０と同様、全体として略三角柱の形状を有している。また、トップパネル１６０の筐体１０の背面側の第２縁部１６２は、図３及び図８に示されている態様と同様の態様で、筐体１０の背面側において、背面パネル６０の背面部６１よりも外方に位置している。
【００４２】
第２縁部１６２には壁部１６３が形成されている。壁部１６３は、セパレータ１１により区分けされている送風機室１０Ａから機械室１０Ｂへ向かって、底面パネル３０へ向かう方向、すなわち下方向へ傾斜している。換言すると、壁部１６３の下端部の上下方向における位置は、送風機室１０Ａから機械室１０Ｂへ向かって、上下方向において漸次低くなっている。
【００４３】
本実施の形態３によれば、送風機室１０Ａの風路を妨げることなく、水分を機械室１０Ｂ側へ導くことができる。従って、熱交換器１００への外気の供給量を低下させることなく、熱交換器１００における水分の凍結を抑制することができ、熱交換器１００の熱交換効率の低下をより効果的に抑制できる。
【００４４】
尚、実施の形態１の第１変形例のトップパネル２０の第２縁部２２においても、壁部１６３と同様の壁部を設けてもよい。また、実施の形態１の第２変形例のトップパネル１２０の延長部１２２においても、壁部１６３と同様の壁部を設けてもよい。また、実施の形態１の第３変形例のトップパネル１３０の第２縁部１３２においても、壁部１６３と同様の壁部を設けてもよい。また、実施の形態１の第４変形例のトップパネル１４０の第２縁部１４４においても、壁部１６３と同様の壁部を設けてもよい。
【００４５】
実施の形態４．
図１０は、本発明の実施の形態４に係る空気調和機の室外機の斜視図である。図１１は、本発明の実施の形態４に係る空気調和機の室外機を側面から概念的に示す図である。図１１は、室外機４を右側面から示している。図１０及び図１１において、実施の形態１と同様の部材には、図１〜図７における符号と同一の符号が付されている。室外機４のトップパネル２０は、実施の形態１において説明した構成を有している。実施の形態１と本実施の形態４との相違点は、トップパネル２０の配置の態様である。本実施の形態４において、一方の底面２３の斜辺である第１辺２３Ａは上側を向き、直角を挟む第２辺２３Ｂと第３辺２３Ｃのうち、短い方の第２辺２３Ｂは筐体１０の背面側を向き、長い方の第３辺２３Ｃは背面パネル６０の側面部６２の上端部と対向している。尚、他方の底面２３の第３辺２３Ｃは、送風機室パネル５０の側面部５２の上端部と対向している。一対の底面２３の第２辺２３Ｂは、筐体１０の前後方向において、筐体１０の背面、すなわち背面パネル６０の背面部６１と略同一の位置に位置している。一対の底面２３の第１辺２３Ａと第３辺２３Ｃが交差する頂点Ｐ１は、筐体１０の前面、すなわち機械室正面パネル４０及び送風機室パネル５０の前面部５１より外方に位置している。さらに、本実施の形態４では、頂点Ｐ１は、第１ワイヤーグリル９３と第２ワイヤーグリル９４よりも外方に位置している。その他の構成は実施の形態１と同様である。
【００４６】
このようにトップパネル２０を配置することにより、トップパネル２０の上面２０Ａは、第１縁部２１から第２縁部２２に向けて、すなわち筐体１０の背面側から前面側へ向けて、底面パネル３０の側へ傾斜している。さらに、第２縁部２２は筐体１０の前面側において、機械室正面パネル４０及び送風機室パネル５０の前面部５１よりも外方に位置している。
【００４７】
本実施の形態４によれば、トップパネル２０に付着した水分が背面側に流れることが抑制される。従って、前面側に流れる熱交換器１００に付着した水分が凍結することにより起因する熱交換効率の低下を抑制することができる。
【００４８】
さらに、トップパネル２０の前面側に流れる水分は、第２縁部２２から下方へ落下するが、本実施の形態４によれば、トップパネル２０の第２縁部２２は筐体１０の前面側において外方へ延びている。従って、第２縁部２２から落下した水分が送風機室パネル５０の前面部５１へ伝わることが抑制される。すなわち、前面部５１へ伝わった水分が、図２に示す第１ベルマウス９１及び第２ベルマウス９２へ浸入することが抑制される。その結果、第１ベルマウス９１及び第２ベルマウス９２へ浸入した水分が氷柱となり、第１ファン１０１及び第２ファン１０２と干渉することにより起因する、異音の発生を抑制することができる。
【００４９】
尚、本実施の形態４のトップパネル２０について、実施の形態１の第２変形例のトップパネル１２０と同様、支持部と延長部とで構成してもよい。
【００５０】
また、背面パネル６０の側面部６２の上端部、及び送風機室パネル５０の側面部５２の上端部を、筐体１０の背面から前面に向けて底面パネル３０の側へ傾斜させ、実施の形態１の第３変形例のトップパネル１３０と同様の薄板状のトップパネルを配置してもよい。
【００５１】
また、本実施の形態４についても、実施の形態１の第４変形例と同様の三角柱の傾斜部材を用いて、薄板状のトッププレートを筐体１０の背面から前面に向けて底面パネル３０の側へ傾斜させてもよい。この場合、傾斜部材の配置の向きは、図１１のトップパネル２０の配置の向きと同様である。
【００５２】
また、本実施の形態４においても、実施の形態２と同様、第２縁部２２に壁部１６３と同様の壁部を設けてもよい。
【００５３】
図１２は、本発明の実施の形態４の第１変形例の空気調和機の室外機の斜視図である。図１２に示すように、筐体１０の左右方向において第１ワイヤーグリル９３及び第２ワイヤーグリル９４が配置されている領域に対応する部分においてのみ、第２縁部２２が送風機室パネル５０及び機械室正面パネル４０よりも外方に位置するよう構成してもよい。より詳細には、筐体１０の左右方向において、図２に示す第１ベルマウス９１及び第２ベルマウス９２が設けられている領域に対応する部分においてのみ、第２縁部２２が送風機室パネル５０及び機械室正面パネル４０よりも外方に位置するよう構成してもよい。換言すると、平面視で、第１ベルマウス９１及び第２ベルマウス９２の左右方向の長さと第２縁部２２の左右方向の長さは略同一である。そして、第１縁部２１に対向し、第２縁部２２の右側において左右方向に延びる第３縁部２４は、平面視で、前後方向において機械室正面パネル４０と略同一の位置に位置している。
【００５４】
このように構成することにより、上述の異音の発生抑制が図られると共に、第２縁部２２において筐体１０の外方に位置させる範囲をより小さくできるため、製造コストの上昇を抑えることができる。
【符号の説明】
【００５５】
１  室外機、２  室外機、３  室外機、４  室外機、１０  筐体、１０Ａ  送風機室、１０Ｂ  機械室、１１  セパレータ、２０  トップパネル、２０Ａ  上面、２１  第１縁部、２２  第２縁部、２３  底面、２３Ａ  第１辺、２３Ｂ  第２辺、２３Ｃ  第３辺、２４  第３縁部、３０  底面パネル、４０  機械室正面パネル、４１  上側パネル、４２  下側パネル、５０  送風機室パネル、５１  前面部、５２  側面部、６０  背面パネル、６１  背面部、６２  側面部、９１  第１ベルマウス、９２  第２ベルマウス、９３  第１ワイヤーグリル、９４  第２ワイヤーグリル、１００  熱交換器、１０１  第１ファン、１０１Ａ  回転軸、１０２  第２ファン、１０２Ａ  回転軸、１０３  ファンモータ固定部、１１０  圧縮機、１１１  電気品箱、１２０  トップパネル、１２１  支持部、１２２  延長部、１３０  トップパネル、１３１  第１縁部、１３２  第２縁部、１４０  トップパネル、１４１  傾斜部材、１４２  底面、１４２Ａ  第１辺、１４２Ｂ  第２辺、１４２Ｃ  第３辺、１４３  第１縁部、１４４  第２縁部、１５０  トップパネル、１５１  第１縁部、１５２  第２縁部、１５３  壁部、１６０  トップパネル、１６２  第２縁部、１６３  壁部、Ｐ１  頂点、Ｐ２  頂点。
【図１】
2020084681.tif 000003
【図２】
2020084681.tif 000004
【図３】
2020084681.tif 000005
【図４】
2020084681.tif 000006
【図５】
2020084681.tif 000007
【図６】
2020084681.tif 000008
【図７】
2020084681.tif 000009
【図８】
2020084681.tif 000010
【図９】
2020084681.tif 000011
【図１０】
2020084681.tif 000012
【図１１】
2020084681.tif 000013
【図１２】
2020084681.tif 000014
【手続補正書】
【提出日】令和2年11月19日(2020.11.19)
【手続補正１】
【補正対象書類名】明細書
【補正対象項目名】０００７
【補正方法】変更
【補正の内容】
【０００７】
本発明に係る空気調和機の室外機は、トップパネルと、底面パネルと、前記底面パネルに設けられ、前記トップパネルを支持している複数の外郭パネルと、前記トップパネルと前記底面パネルと前記複数の外郭パネルとで形成される筐体の背面側に配置されている熱交換器と、前記熱交換器に外気を供給するファンと備え、前記トップパネルは、前記筐体の左右方向に延びる第１縁部から、前記第１縁部と対向し、前記筐体の左右方向に延びる第２縁部に向けて、前記底面パネルの側へ傾斜しており、前記第２縁部は、平面視において、前記複数の外郭パネルのうち前記第２縁部が位置する側の外郭パネルよりも、前記筐体の外方に位置しており、前記第２縁部において、下方向に延びる壁部が形成され、前記筐体の内部は、左右方向において、前記ファンが設けられている送風機室と圧縮機が設けられている機械室に区分けされており、前記壁部の下端部は、前記送風機室から前記機械室へ向かって下方向へ傾斜している。
【手続補正２】
【補正対象書類名】特許請求の範囲
【補正対象項目名】全文
【補正方法】変更
【補正の内容】
【特許請求の範囲】
【請求項１】
トップパネルと、
底面パネルと、
前記底面パネルに設けられ、前記トップパネルを支持している複数の外郭パネルと、
前記トップパネルと前記底面パネルと前記複数の外郭パネルとで形成される筐体の背面側に配置されている熱交換器と、
前記熱交換器に外気を供給するファンと備え、
前記トップパネルは、前記筐体の左右方向に延びる第１縁部から、前記第１縁部と対向し、前記筐体の左右方向に延びる第２縁部に向けて、前記底面パネルの側へ傾斜しており、
前記第２縁部は、平面視において、前記複数の外郭パネルのうち前記第２縁部が位置する側の外郭パネルよりも、前記筐体の外方に位置しており、
前記第２縁部において、下方向に延びる壁部が形成され、
前記筐体の内部は、左右方向において、前記ファンが設けられている送風機室と圧縮機が設けられている機械室に区分けされており、前記壁部の下端部は、前記送風機室から前記機械室へ向かって下方向へ傾斜している空気調和機の室外機。
【請求項２】
トップパネルと、
底面パネルと、
前記底面パネルに設けられ、前記トップパネルを支持している複数の外郭パネルと、
前記トップパネルと前記底面パネルと前記複数の外郭パネルとで形成される筐体の背面側に配置されている熱交換器と、
前記熱交換器に外気を供給するファンと備え、
前記トップパネルは、前記筐体の左右方向に延びる第１縁部から、前記第１縁部と対向し、前記筐体の左右方向に延びる第２縁部に向けて、前記底面パネルの側へ傾斜しており、
前記第２縁部は、平面視において、前記複数の外郭パネルのうち前記第２縁部が位置する側の外郭パネルよりも、前記筐体の外方に位置しており、
前記第２縁部は、前記筐体の左右方向において、前記熱交換器に対応する部分においてのみ、前記第２縁部が位置する側の外郭パネルよりも、前記筐体の外方に位置している空気調和機の室外機。
【請求項３】
前記第１縁部は前記筐体の前面側に位置し、前記第２縁部は前記筐体の背面側に位置している請求項１又は２に記載の空気調和機の室外機。
【請求項４】
前記第１縁部は前記筐体の背面側に位置し、前記第２縁部は前記筐体の前面側に位置している請求項１又は２に記載の空気調和機の室外機。
【請求項５】
前記第２縁部は、前記筐体の左側面から右側面に亘っている請求項１〜４のいずれか一項に記載の空気調和機の室外機。
【請求項６】
前記第２縁部は、前記筐体の左右方向において、前記ファンの前面側に配置されているベルマウスに対応する部分においてのみ、前記第２縁部が位置する側の外郭パネルよりも、前記筐体の外方に位置している請求項１〜４のいずれか一項に記載の空気調和機の室外機。
【請求項７】
前記トップパネルにおいて、前記第１縁部の上下方向の長さは、前記第２縁部の上下方向の長さよりも長い請求項１〜６のいずれか一項に記載の空気調和機の室外機。
【請求項８】
前記トップパネルは板状の部材であり、
前記複数の外郭パネルのうち、前記筐体の左側面に位置する外郭パネルの上端部及び前記筐体の右側面に位置する外郭パネルの上端部が、前記第１縁部から前記第２縁部に向けて前記底面パネルの側へ傾斜している請求項１〜６のいずれか一項に記載の空気調和機の室外機。
【請求項９】
前記トップパネルは板状の部材であり、
前記トップパネルと前記複数の外郭パネルとの間に設けられている傾斜部材をさらに備え、
前記傾斜部材において、前記第１縁部の側に位置する縁部の上下方向の長さが前記第２縁部に位置する縁部の上下方向の長さより長い請求項１〜６のいずれか一項に記載の空気調和機の室外機。
【国際調査報告】
2020084681.tif 000015
2020084681.tif 000016
2020084681.tif 000017
2020084681.tif 000018